(57)【要約】      （修正有）【課題】使用者が前屈して、且つ上半身を背中側へ捻りながら、靴べらを持つ手の腕を同じく背中側へ回す動作の様に身体に負担をかけることなく楽な姿勢で、靴を容易にスムーズに履くことができる離れ柄付き靴べらを提供する。【解決手段】靴べら本体２に柄部３を設け、柄部３の長手方向に於いて左側へ曲げて柄部３と同一平面状に延びた形状構成の柄延長部４を設け、柄延長部４の先部位付近に於いて表面側の前方へ立体状に突き出したような形状構成のへら基台部５を設け、へら基台部５の先部位付近に於いて下側へ折り曲げてへら延長部が延長したような形状構成の足の踵に当接してすべらせるへら部６を設け、へら部６は足の踵の形状に合わせた形状構成であり、この様に柄部３とへら部６を離れた間接的な位置関係状に配置構成して一本状に一体形成した柄付き靴べら。【選択図】図１
2018051272.tif 000002
【特許請求の範囲】
【請求項１】
靴べら本体に柄部を設け、該柄部の長手方向に於いて左側へ曲げて該柄部と同一平面状に延びた形状構成の柄延長部を設け、該柄延長部の先部位付近に於いて表面側の前方へ立体状に突き出したような形状構成のへら基台部を設け、該へら基台部の先部位付近に於いて下側へ折り曲げて該へら基台部が延長したような形状構成の足の踵に当接してすべらせるへら部を設け、該へら部は足の踵の形状に合わせた形状構成であり、この様に該柄部と該へら部を離れた間接的な位置関係状に配置構成して一本状に一体形成したことを特徴とする離れ柄付き靴べら。
【請求項２】
前記へら部は、折り曲げた形状にて生じる反発力による弾力を備えた傾斜角度が８０度位の急勾配の宙に浮いたスキーのジャンプ台のような形状構成で設けたことを特徴とする請求項１に記載の離れ柄付き靴べら。
【請求項３】
前記へら部は、当接した足の踵のすべりをより良くするために、後方へ緩やかに反り返った姿勢状の形状構成で設けたことを特徴とする請求項１又は請求項２に記載の離れ柄付き靴べら。
【発明の詳細な説明】
【技術分野】
【０００１】  本発明は、靴を履く際に足の踵に当接してすべらせて靴をスムーズに履く離れ柄付き靴べらに関するものである。
【背景技術】
【０００２】  従来、靴を履く際に足の踵に当接してすべらせて靴をスムーズに履く靴べらは、踵に当接してすべらせる部位と柄の部位が、直線状に直結した一本状に形状構成している。
なお、表裏を確認することなく、靴を履くことができ、さらに使用感を向上させて、よりスムーズに靴を履くことが可能な靴べらが知られている（特許文献１参照）。
【先行技術文献】
【特許文献】
【０００３】
【特許文献１】特開２０１１−０９２４９９号広報
【発明の概要】
【発明が解決しようとする課題】
【０００４】  従来の、靴を履く際に足の踵に当接してすべらせる部位と柄の部位が、直線状に直結して一本状に形状構成している靴べらは、靴を履く際に、使用者が前屈して、且つ上半身を背中側へ捻りながら、靴べらを持つ腕を背中側へ回す動作が必要であり、高齢者や腰及び肩・腕などが悪くて可動域に制限がある人達には容易ではなく、時には苦痛が伴う動作である。
この様に、身体に負担をかけることなく楽な姿勢で、手軽に靴べらを使用して靴をスムーズに履くことは不可能だった。
本発明は、以上の問題点を解決するためになされたものである。
【課題を解決するための手段】
【０００５】  靴べら本体に柄部を設け、該柄部の長手方向に於いて左側へ曲げて該柄部と同一平面上に延びた形状構成の柄延長部を設け、該柄延長部の先部位付近に於いて表面側の前方へ立体状に突き出したような形状構成のへら基台部を設け、該へら基台部の先部位付近に於いて下側へ折り曲げて該へら基台部が延長したような形状構成の足の踵に当接してすべらせるへら部を設け、該へら部は足の踵の形状に合わせた形状構成であり、この様に該柄部と該へら部を離れた間接的な位置関係状に配置構成して一本状に一体形成したことを特徴とする離れ柄付き靴べら。
【発明の効果】
【０００６】  従来不可能とされていた身体に負担をかけることなく楽な姿勢で靴べらを使用することを、本発明により可能にし、健常者は勿論、高齢者や腰及び肩・腕などが悪くて可動域に制限がある人達が、特別な技術を必要としないで手軽で容易に靴べらを使って靴をスムーズに心地よく履くことができる。
本発明は、プラスチック材で大量生産が可能であり、安価で提供できるので、例えば不特定多数の人達が出入りして靴を脱ぎ履きする、病院や公民館及び各種施設などに多くの需要が想定される。
【図面の簡単な説明】
【０００７】
【図１】本発明の斜視図
【図２】本発明の斜視図
【図３】本発明の部分断面斜視図
【図４】本発明の使用状態を示す斜視図
【本発明を実施するための形態】
【０００８】  以下、本発明の実施の形態を説明する。
（イ）最初に、離れ柄付き靴べら（１）は、右手用と左手用があるが、左右逆の違いのみ      で同一形状構成であり、この実施の形態に於いては圧倒的に需要が多い右手用の離      れ柄付き靴べら（１）を図示（図１、図２、図３、図４）して説明する。
（ロ）本発明の離れ柄付き靴べら（１）は、靴べら本体（２）に設けた長さ４５ｃｍ位の      柄部（３）に各部をそれぞれ設けて一本状に一体形成したものである。
（ハ）請求項１の図１、図２、図３、図４は、靴べら本体（２）に柄部（３）を設け、該      柄部（３）の長手方向に於いて左側へ曲げて該柄部（３）と同一平面状に延びた形      状構成の柄延長部（４）を設け、該柄延長部（４）の先部位付近に於いて表面側の      前方へ立体状に突き出したような形状構成のへら基台部（５）を設け、該へら基台      部の先部位付近に於いて下側へ折り曲げて該へら基台部（５）が延長したような足      （Ａ）の踵（Ｋ）に当接してすべらせるへら部（６）を設け、該へら部（６）は足      （Ａ）の踵（Ｋ）の形状に合わせた形状構成であり、この様に該柄部（３）と該へ      ら部（６）を離れた間接的な位置関係状に配置構成して一本状に一体形成したもの      である。
（ニ）請求項２の図１、図２、図３、図４は、前記へら部（６）は、折り曲げた形状にて      生じる反発力による弾力を備えた傾斜角度８０度位の急勾配の宙に浮いたスキーの      ジャンプ台のような形状構成にて設けたものである。
（ホ）請求項３の図１、図２、図３、図４は、前記へら部（６）は、当接した足（Ａ）の      踵（Ｋ）のすべりをより良くするために、後方へ緩やかに反り返った姿勢状の形状      構成にて設けたものである。
以下、これらの各部位を個別に順次詳しく説明する。
（ヘ）まず該柄部（３）は、軽量硬質のプラスチック材又は木材などで全長４５ｃｍ位の      直線形状、又は緩やかに握り部位付近が反って更に最後尾が強く反り返った形状構      成にて、最後尾付近の部位に吊り掛け紐を通す穴を備えて設けたものである。
（ト）また、該柄部（３）は、直線状の平板状であり、最上部位の横幅２．３ｃｍ位で最      下部位の横幅４ｃｍ位の微末広がりした形状構成にて設けたものである。
（チ）尚、該柄部（３）は、棒状のもので設けてもよい。
（リ）該柄延長部（４）は、該柄部（３）と同一の軽量硬質のプラスチック材又は木材な      どで全長６ｃｍ位で横幅４ｃｍ位の直線状の平板状で、該柄部（３）の長手方向で      ある先部位の先端付近に於いてＬ字状的に道路が左に曲がって少し延長したような      形状構成にて該柄部（３）と一体状に設けたものである。
（ヌ）該へら基台部（５）は、該柄延長部（４）と同一の軽量硬質のプラスチック材又は      木材などで全長４ｃｍ位で横幅４ｃｍ位の平板状で、該柄延長部（４）の先部位の      最下部位付近に於いて表面側の前方へ略直角状に棚を取り付けたように突き出した      形状構成にて該柄延長部（４）と一体状に設けたものである
（ル）該へら部（６）は、該へら基台部（５）と同一の軽量硬質のプラスチック材又は木      材若しくは個別の鼈甲材などで、足（Ａ）の踵（Ｋ）に当接してすべらせる際に安      定的に密着できるように、該へら基台部（５）との境界部位付近を反発力が生じて      弾力性が備わるように下側方向であるところの該へら部（６）の先部位先端方向へ      折り曲げ状の構造にて設けたものである。
（ヲ）該へら部（６）は、全長が１４ｃｍ位であり、上部位幅４ｃｍ位で下部位幅４．５      ｃｍ位の微末広がり状で先端を微薄にして、且つ角を無くして円弧状とし、従来の      靴べらの足（Ａ）の踵（Ｋ）に当接してすべらせる部位付近の形状と同じような形      状構成にて設けたものである。
本発明は以上のような構造である。
本発明を使用するときは、まず右手で柄部（３）を長めに、後部頂上部位が手の平に当接する位の位置を軽く握り、へら部（５）を地面側に垂らすようにして持つ。従来の靴べらを使用して靴（Ｓ）を履く要領で、履く靴（Ｓ）の真後ろに立ち、まず右靴（Ｓ）に右足（Ａ）を、つま先から内部に差し入れる。次に、はみ出して浮いている状態の踵（Ｋ）に真正面から対面するように該へら部（５）を、離れた間接的位置関係の概柄部（３）を遠隔操作的に手首から先の部位を動かして操作し、踵（Ｋ）を最もスムーズにすべらせる位置である該へら部（６）の中央部位より稍々上の部位付近を、踵（Ｋ）の中央部位付近に当接させる。
この動作をする時、使用者は上半身を捻る及び腕を背中側へ回すような無理な姿勢をする必要は無く、楽な姿勢を保ちながら行える。
そして、後は従来の靴べらを使用して靴を履く要領で、該へら部（６）に当接させた踵（Ｋ）をゆっくり押し下げれば、何の抵抗もなくすべりながらスムーズに靴（Ｓ）内に収納される。この時に少し遅れ気味に、該へら部（６）を持ち上げるようにして引き抜けば、右靴（Ｓ）を履く作業は終了である。
続いて左靴（Ｓ）を履くには、右手に持った離れ柄付き靴べら（１）をそのまま使用者の前方へ移動させて、後は前記の右靴（Ｓ）を履いた要領で一連の動作を反復して左靴（Ｓ）を履いて、本発明を使用して靴（Ｓ）を履く作業は完了する。
この様に、本発明の離れ柄付き靴べら（１）を使用することで、健常者は勿論、高齢者や腰及び肩・腕などが悪い人達が、身体に負担をかけずに安心して気軽に心地よく靴（Ｓ）を履くことができる。
【符号の説明】
【０００９】  １離れ柄付き靴べら  ２靴べら本体  ３柄部  ４柄延長部  ５へら基台部  ６へら部  Ａ足  Ｋ踵  Ｓ靴
【図１】
2018051272.tif 000003
【図２】
2018051272.tif 000004
【図３】
2018051272.tif 000005
【図４】
2018051272.tif 000006